(57)【要約】【目的】不要なコモン信号を省き、低消費電力のダイナミック点灯装置を提供する。【解決手段】複数のLEDからなるLED群とＩＣ及びスイッチング素子とを備え、前記ＩＣにはコモン出力部とデータ出力部とを備え、当該コモン出力部はスイッチング素子を介してLED群の各コモン端子に接続され、前記データ出力部はLED群の各LEDのデータ端子へ接続され、所定の間隔でコモン出力部から信号が出力されることでLED群を点灯及び消灯させるダイナミック点灯装置において、前記ＩＣはデータ出力信号の監視を行い当該信号が全てオフの場合にはコモン出力部からの信号を出力しないように構成されたＩＣであることを特徴とする。【選択図】図１
2007047429.tif 000002
【特許請求の範囲】
【請求項１】
複数のLEDからなるLED群とＩＣ及びスイッチング素子とを備え、前記ＩＣにはコモン出力部とデータ出力部とを備え、当該コモン出力部はスイッチング素子を介してLED群の各コモン端子に接続され、前記データ出力部はLED群の各LEDのデータ端子へ接続され、所定の間隔でコモン出力部から信号が出力されることでLED群を点灯及び消灯させるダイナミック点灯装置において、前記ＩＣはデータ出力信号の監視を行い当該信号が全てオフの場合にはコモン出力部からの信号を出力しないように構成されたＩＣであることを特徴とするダイナミック点灯装置。
【請求項２】
複数のLEDからなるLED群とＩＣ及びスイッチング素子とを備え、前記ＩＣにはコモン出力部とデータ出力部とを備え、当該コモン出力部はスイッチング素子を介してLED群の各コモン端子に接続され、前記データ出力部はLED群の各LEDのデータ端子へ接続され、所定の間隔でコモン出力部から信号が出力されることでLED群を点灯及び消灯させるダイナミック点灯装置において、データ出力信号が全てオフの場合にはコモン出力からの信号を出力しないようにしたことを特徴とするダイナミック点灯方法。
【請求項３】
LEDには７セグLEDを使用し、複数個の７セグLEDからなるLED群をダイナミック点灯させることを特徴とする請求項１に記載のダイナミック点灯装置。
【発明の詳細な説明】
【技術分野】
【０００１】
本発明は、多数のＬＥＤを搭載し、当該ＬＥＤをダイナミック点灯させる装置及び方法に関し、特に電池やバッテリを駆動電源とする表示部のＬＥＤ点灯装置及び方法に関する。
【背景技術】
【０００２】
従来よりＬＥＤにより情報表示を行う機器においては図３に示すようなダイナミック点灯装置が提案されている。図３には空調機器のリモコン等に用いられるＬＥＤ表示装置の略構成図を示す。図３において、ＩＣ10には出力ポートRA0乃至RA4とRB1乃至RB7が備えられており、当該RA0乃至RA4はトランジスタ等で構成されるスイッチング素子20乃至24を介して７セグLED30乃至34（LED群）のコモン端子に接続されている。また、前記RB1乃至RB7は抵抗を介して７セグLED群のデータライン端子a乃至gに接続されている。また、前記スイッチング素子とＩＣ10には電池等で構成される電源50が接続されている。
【０００３】
上記構成の複数のコモン出力とデータライン出力に対応し、割り付けられたLED群を点灯させるため、一定周期でコモンラインを切り換え、オンしているコモンに割り付けられたLEDを点灯させるデータを出力することにより、コモン数×データライン数分の多数のLEDの点灯と消灯を制御する。従来技術では、１コモンに割り付けられたLEDが全て消灯の場合でも、一定周期毎にコモン切換を行っていた。
【０００４】
具体的には、図５はＩＣ10からのコモン出力とデータ出力との関係を示す波形であるが、例えばLED30の点灯制御はコモン出力RA0とデータ出力RB1乃至RB7で決定している。すなわち、LED30を構成する７つのLEDはRB1からRB7に対応しており、RA0がオンで且つRB1からRB7が全てオンの時には７つのLEDが全て点灯し、数字の「８」を表示することとなる。そしてLEDが複数でLED群を形成している場合では、コモン出力とデータ出力とを所定間隔で移行させ、ダイナミック点灯により表示を行っている。
【０００５】
このときのフローチャートを図４に示す。ダイナミック点灯装置のソフト的な処理として、周知の通りメイン処理とは別に割り込み処理によってLEDの点灯消灯制御を行う。図４には当該割り込み処理のフローを示している。まずRA0乃至RA4全てのコモン出力をオフ状態に設定する(S1)。次にコモン出力ポートナンバーを+1する。例えばRA0の状態であればRA1に移行する（S2)。次に現在のコモン出力ポートを確認（S3)し、上記従来技術であればコモンは５個有しており、RA4の次すなわち６番目であればコモンを0（＝RA0）にする（S4)。当該コモンが５番目以内であればS4を飛ばす。その後、所望のLED点灯に応じてコモンの出力ポートナンバー（S5)とデータラインRBの設定(S6)とコモンラインRAのポートナンバーの設定(S8)とを行う。
【発明の開示】
【発明が解決しようとする課題】
【０００６】
上記構成のダイナミック点灯装置においては、点灯させるデータがないコモンラインも、一定周期毎にＯＮしていた。そのため、不要なコモン電流を定常的に消費しており、特に乾電池を使用する省電力が求められているリモコン装置では電池の短寿命の一因となっている。すなわち、図５に示す通り、LED点灯が不要な場合であっても、ＩＣ10からコモン端子への信号が定常的に行われており、無駄な消費電力が使われている。
【０００７】
本発明はこのような課題に鑑み、不要なコモン信号を省き、低消費電力のダイナミック点灯装置を提供することを目的とする。
【課題を解決するための手段】
【０００８】
上記課題を解決するために本発明では次の通りとする。即ち、請求項１では、複数のLEDからなるLED群とＩＣ及びスイッチング素子とを備え、前記ＩＣにはコモン出力部とデータ出力部とを備え、当該コモン出力部はスイッチング素子を介してLED群の各コモン端子に接続され、前記データ出力部はLED群の各LEDのデータ端子へ接続され、所定の間隔でコモン出力部から信号が出力されることでLED群を点灯及び消灯させるダイナミック点灯装置において、前記ＩＣはデータ出力信号の監視を行い当該信号が全てオフの場合にはコモン出力部からの信号を出力しないように構成されたＩＣであることを特徴とするダイナミック点灯装置。
【０００９】
請求項２では、複数のLEDからなるLED群とＩＣ及びスイッチング素子とを備え、前記ＩＣにはコモン出力部とデータ出力部とを備え、当該コモン出力部はスイッチング素子を介してLED群の各コモン端子に接続され、前記データ出力部はLED群の各LEDのデータ端子へ接続され、所定の間隔でコモン出力部から信号が出力されることでLED群を点灯及び消灯させるダイナミック点灯装置において、データ出力信号が全てオフの場合にはコモン出力からの信号を出力しないようにしたことを特徴とするダイナミック点灯方法とする。また、LEDには７セグLEDを使用し、複数個の７セグLEDからなるLED群をダイナミック点灯させてもよい。
【発明の効果】
【００１０】
上記の通り、データ出力信号が全てオフの場合にはコモン出力からの信号を出力しないので、不要な消費電流の低減を実現でき、特に待機時のＬＥＤ駆動に関わる電流消費をゼロにし、待機電力削減に寄与すると共に、消費電流削減による電源回路の発熱防止、及び素子劣化の抑制が可能になる。また本発明はソフトウエアのみの対応で可能なため、従来装置と比較しても構成部材が増加することなく実現可能である。
【実施例１】
【００１１】
本発明の実施例について述べる。まず、図３において、ＩＣ10には出力ポートとしてコモン出力部RA0乃至RA4と、データ出力ポートとしてのデータ出力部RB1乃至RB7が備えられており、当該RA0乃至RA4はトランジスタ等で構成されるスイッチング素子20乃至24を介して７セグLED群のコモン端子に接続されている。また、前記RB1乃至RB7は抵抗を介して７セグLED群のデータライン端子a乃至gに接続されている。また、前記スイッチング素子とＩＣ10には電池等で構成される電源50が接続されている。
【００１２】
上記構成の複数のコモン出力部とデータライン出力部に対応し、割り付けられた７セグLED群を点灯させるため、一定周期でコモンラインを切り換え、オンしているコモン端子に割り付けられたLEDを点灯させるデータを出力することにより、コモン数×データライン数分の多数のLEDの点灯と消灯を制御している。
【００１３】
本発明では、前記LED群の制御信号を次の通り制御している。図２はＩＣ10からのコモン出力部とデータ出力部との出力波形を示す図である。LED群のうち例えばLED30の点灯制御はコモン出力RA0とデータ出力RB1乃至RB7で決定している。すなわち、LED30を構成する７つのLEDはRB1からRB7に対応しており、RA0がオンで且つRB1からRB7が全てオンの時には７つのLEDが全て点灯し、数字の「８」を表示することとなる。そしてLEDが複数でLED群を形成している場合では、コモン出力部とデータ出力部とを例えば１ｍｓ程度の所定間隔で移行させ、ダイナミック点灯により表示を行っている。
【００１４】
本発明においては、LED群のコモン端子を制御することで省電力を実現している。具体的には、図２に示すデータ出力RB1乃至RB7を監視し、この全てがオフ（Low＝消灯）の場合には、この全てがオフの間に限りコモン出力部からの信号を出力しないことにする。当該データ出力RB1乃至RB7の監視は、部品数やコストの点でＩＣ10内で内部処理として行うことが望ましいが、外部のＩＣやマイコン等を使用することでも同様の動作が得られるものである。このような方法により、コモン切換周期は変化しないため、従来通りの安定したＬＥＤ駆動が可能である。
【００１５】
さらに本発明の動作を示す図１のフローチャートを用いて説明すれば、ダイナミック点灯装置のソフト的な処理として、周知の通りメイン処理とは別に割り込み処理によってLEDの点灯消灯制御を行う。図１には当該割り込み処理のフローを示している。まずRA0乃至RA4全てのコモン出力をオフ状態に設定する(S1)。次にコモン出力ポートナンバーを+1する。例えばRA0の状態であればRA1に移行する（S2)。次に現在のコモン出力ポートを確認（S3)し、上記従来技術であればコモンは５個有しており、RA4の次すなわち６番目であればコモンを0（＝RA0）にする（S4)。当該コモンが５番目以内であればS4を飛ばす。その後、所望のLED点灯に応じてコモンの出力ポートナンバー（S5)とデータラインRBの設定(S6)とコモンラインRAのポートナンバーの設定(S8)とを行う。ここで本発明では、S6によりデータラインの信号がどのポートからも出力されない場合にはコモン信号RAも全て不要であると判断し、当該データラインが全てオフの状態に限りコモン出力はS1を維持しオフ状態となっている(S7)。以上によりLEDの点灯がない場合においてはコモン信号自体がオフ状態になり、無駄な電力を消費しなくてすむ。
【産業上の利用可能性】
【００１６】
本発明においてはリモコン装置の表示に関しての実施例であるが、他のLEDを使用する電気機器において使用してもよい。また、電源に関しては乾電池に限らず、場合によっては省電力化が要求される商用電源を用いた電気機器に用いてもよい。また、LEDは７セグに限定することなく、少なくとも複数のLEDをダイナミック点灯させて表示を行う機器においても使用可能なものである。
【図面の簡単な説明】
【００１７】
【図１】本発明のダイナミック点灯のフローチャートを示す。
【図２】本発明のダイナミック点灯の各ポートの出力波形を示す。
【図３】ダイナミック点灯装置の１例を示す。
【図４】従来のダイナミック点灯のフローチャートを示す。
【図５】従来のダイナミック点灯の各ポートの出力波形を示す。
【００１８】
１０  ＩＣ
２０、２１，２２，２３，２４  スイッチング素子
３０，３１，３２，３３，３４  ＬＥＤ
５０  電源
【図１】
2007047429.tif 000003
【図２】
2007047429.tif 000004
【図３】
2007047429.tif 000005
【図４】
2007047429.tif 000006
【図５】
2007047429.tif 000007